(57)【要約】【課題】小型軽量で可搬性に優れかつ特別な装置を必要としないプーリ間の張力調整治具及び簡易かつ迅速に行える張力調整方法を提供することを目的とする。【解決手段】本発明にかかる代表的なプーリ間の張力調整治具３１５は、ベルトが張設された一対のプーリに対して、一方側のプーリに嵌合して押圧する第１の嵌合部材３１２と、他方側のプーリに嵌合して前記一方側のプーリから離隔させる方向に押圧する第２の嵌合部材３１３と、前記第１及び第２嵌合部材を支持する支持部材３１４を備え、前記第１及び第２嵌合部材は、プーリに嵌合する嵌合面と、端面に前記嵌合面を形成する嵌合部と、前記嵌合部の前記嵌合面とは反対側に固定された雄ネジ部と、前記雄ネジ部に螺合されたナットを有し、前記支持部材は、支持部材本体と、前記雄ネジ部の軸方向と直交し軸方向に配列した複数の側壁と、前記側壁に設けられた孔とを有することを特徴とする。【選択図】図１
2012057683.tif 000002
【特許請求の範囲】
【請求項１】
ベルトが張設された一対のプーリに対して、一方側のプーリに嵌合して押圧する第１の嵌合部材と、他方側のプーリに嵌合して前記一方側のプーリから離隔させる方向に押圧する第２の嵌合部材と、前記第１及び第２の嵌合部材を支持する支持部材を備え、
前記第１及び第２の嵌合部材は、プーリに嵌合する嵌合面と、端面に前記嵌合面を形成する嵌合部と、前記嵌合部の前記嵌合面とは反対側に固定された雄ネジ部と、前記雄ネジ部に螺合されたナットを有し、
前記支持部材は、支持部材本体と、前記雄ネジ部の軸方向と直交し軸方向に配列した複数の側壁と、前記側壁に設けられた孔とを有し、
前記第１及び第２の嵌合部材の雄ネジ部を前記支持部材の外側にある前記側壁の孔から内側にある前記側壁の孔に挿通し、前記内側にある側壁の前記嵌合部材側において前記ナットを回転させることにより前記嵌合部材の繰り出し量を調整することを特徴とするプーリ間の張力調整治具。
【請求項２】
前記支持部材は、支持部材本体と、複数の前記側壁を有する第１の支持部材付属部と、複数の前記側壁を有する第２の支持部材付属部から構成されており、
前記支持部材本体は長手方向に複数の孔を配列し、
前記支持部材付属部は前記支持部材本体の孔と対向する孔を有し、
前記第１及び第２の支持部材付属部の孔と前記支持部材本体の孔をボルトとナットで固定することにより、前記第１及び第２の支持部材付属部は前記支持部材本体に対して異なる位置に固定可能であることを特徴とする請求項１に記載のプーリ間の張力調整治具。
【請求項３】
嵌合部材の嵌合面が柔軟性を有する材質からなることを特徴とする請求項１または２に記載のプーリ間の張力調整治具。
【請求項４】
前記支持部材本体がＬ字鋼であることを特徴とする請求項１〜３のいずれか一項に記載のプーリ間の張力調整治具。
【請求項５】
プーリ間にベルトを張設した状態で前記プーリ間に請求項１〜４のいずれか一項に記載の張力調整治具を取付け、一方側のプーリを有するモーターの固定用ネジを弛め、前記張力調整治具のナットを回転させてプーリ間隔を広げる方向に第１の嵌合部材と第２の嵌合部材を移動させると共に、前記モーターの位置調整用ボルトを回転させて前記プーリ間隔を広げる方向に前記モーターを移動させ、その後前記ベルトの弛み及び前記プーリ間の芯出しを確認した後、前記モーターの固定用ネジを締め付け、プーリ間から張力調整治具を取外すことを特徴とするプーリ間の張力調整方法。
【請求項６】
並列多段掛け用プーリの場合、外側のプーリ間に張力調整治具を取付けることを特徴とする請求項５に記載のプーリ間の張力調整方法。
【発明の詳細な説明】
【技術分野】
【０００１】
本発明は、例えば一つのモーターから他のモーターに駆動力を伝達するためのベルトの張力を調整する場合の、プーリ間の張力調整治具及びその方法に関する。
【背景技術】
【０００２】
従来図１０に示すように、モーター１０５から配電用変電所冷却ファン１０１に動力を伝達する伝達機構として、モーター軸１０８に設けられるプーリ１０９と冷却ファン軸１０３に設けられるプーリ１０２間にベルト１０４を張設し、このベルト１０４を通して駆動力を伝達するような機構が知られている。
【０００３】
ベルトにはタイミングベルト（歯が付いたベルト）を用いることもあるが、モーターへの過負荷を考慮した場合、Ｖベルトや平ベルトが多く用いられる。これらのベルトは経年使用によって延びたり、またプーリおよびベルトが摩耗したりすることによって、いずれ張力が低下する。このベルト１０４の張力調整はプーリ間距離を広げることによって行われるが、すなわち、モーター１０５を冷却ファン１０１から軸の平行を維持したまま離隔させることになる。しかし、このベルト１０４の張力調整をプーリ間にベルト１０４を張設した状態でモーター１０５の架台１０６にある位置調整用ボルト１０７で行った場合、低下しているとはいえ強い張力がかかっているためにモーター１０５を平行に移動させることが困難であり、プーリ間の芯出しが行えない（プーリがずれてしまう）という問題がある。
【０００４】
ここで位置調整用ボルト１０７とはモーター１０５の架台１０６の側面にあり、架台１０６の裏側にあるモーター１０５の止め金具と螺合されている。この位置調整用ボルト１０７を回すことによりモーター１０５と冷却ファン１０１との距離を調整できる。また、プーリ間の芯出しとは、モーター軸１０８と冷却ファン軸１０３が平行でかつプーリ面が同一平面上にあるように調整することをいう。
【０００５】
そのため従来は、まずベルト１０４を取外し、モーター１０５の位置を位置調整用ボルト１０７により調整してプーリ間の芯出しを行った後、再びベルト１０４を取付ける必要がある。しかし、このベルト１０４の取付け、取外しには熟練を要し、手間もかかる。
【０００６】
この問題を解決するための技術としては、「ベルトの張力調整治具」(特許文献１)がある。
本発明に係るベルトの張力調整治具は、車両用エンジンのクランク軸に取り付けられるドライブプーリと、パワーステアリングポンプのポンプ軸に取り付けられるドリブンプーリとの間に張装されるベルトの張力を調整する治具として構成され、張力調整作業は、例えば調整ボルトを弛めた状態で、本治具によりドライブプーリとドリブンプーリの間隔を調整してベルトの張力を一定にセットし、ベルト張力が一定になった時点で調整ボルトを締め付けて位置関係を固定するような手順で行われる。
【先行技術文献】
【特許文献】
【０００７】
【特許文献１】特開２０００−４６１３２号公報
【発明の概要】
【発明が解決しようとする課題】
【０００８】
しかし、この「ベルトの張力調整治具」はベルトの張力を調整するためのエア圧で作動するシリンダユニットを主体に構成されている。このため、大きくかつ重くなり可搬性に劣るだけでなく高圧の空気を作るコンプレッサが必要となる。また価格も高価となる。
【０００９】
したがって、本発明は、小型軽量で可搬性に優れかつ特別な装置を必要としないプーリ間の張力調整治具及び簡易かつ迅速に行える張力調整方法を提供することを目的とする。
【課題を解決するための手段】
【００１０】
本発明にかかる代表的なプーリ間の張力調整治具は、ベルトが張設された一対のプーリに対して、一方側のプーリに嵌合して押圧する第１の嵌合部材と、他方側のプーリに嵌合して前記一方側のプーリから離隔させる方向に押圧する第２の嵌合部材と、前記第１及び第２の嵌合部材を支持する支持部材を備え、前記第１及び第２の嵌合部材は、プーリに嵌合する嵌合面と、端面に前記嵌合面を形成する嵌合部と、前記嵌合部の前記嵌合面とは反対側に固定された雄ネジ部と、前記雄ネジ部に螺合されたナットを有し、前記支持部材は、支持部材本体と、前記雄ネジ部の軸方向と直交し軸方向に配列した複数の側壁と、前記側壁に設けられた孔とを有し、前記第１及び第２の嵌合部材の雄ネジ部を前記支持部材の外側にある前記側壁の孔から内側にある前記側壁の孔に挿通し、前記内側にある側壁の前記嵌合部材側において前記ナットを回転させることにより前記嵌合部材の繰り出し量を調整することを特徴とする。
【００１１】
かかる構成によれば、小型軽量で可搬性に優れかつ特別な装置を必要としないプーリ間の張力調整治具を提供できる。
【００１２】
前記支持部材は、支持部材本体と、複数の前記側壁を有する第１の支持部材付属部と、複数の前記側壁を有する第２の支持部材付属部から構成されており、前記支持部材本体は長手方向に複数の孔を配列し、前記支持部材付属部は前記支持部材本体の孔と対向する孔を有し、前記第１及び第２の支持部材付属部の孔と前記支持部材本体の孔をボルトとナットで固定することにより、前記第１及び第２の支持部材付属部は前記支持部材本体に対して異なる位置に固定可能であることが好ましい。
【００１３】
かかる構成によれば、支持部材を支持部材本体と支持部材付属部に分離することで支持部材を短くできるため可搬性が増し、また支持部材本体と支持部材付属部との固定位置を変えることで支持部材の長さが可変となる。
【００１４】
嵌合部材の嵌合面が柔軟性を有する材質からなることが好ましい。かかる構成によれば、嵌合面がプーリを傷つけない。
【００１５】
支持部材本体がＬ字鋼であることが好ましい。かかる構成によれば、支持部材が小型軽量でかつ丈夫となる。
【００１６】
本発明にかかる代表的なプーリ間の張力調整方法は、プーリ間にベルトを張設した状態で前記プーリ間に張力調整治具を取付け、一方側のプーリを有するモーターの固定用ネジを弛め、前記張力調整治具のナットを回転させてプーリ間隔を広げる方向に第１の嵌合部材と第２の嵌合部材を移動させると共に、前記モーターの位置調整用ボルトを回転させて前記プーリ間隔を広げる方向に前記モーターを移動させ、その後前記ベルトの弛み及び前記プーリ間の芯出しを確認した後、前記モーターの固定用ネジを締め付け、プーリ間から張力調整治具を取外すことを特徴とする。
【００１７】
かかる方法によれば、ベルトを外すことなく簡易かつ迅速にプーリ間の張力調整を行うことができる。
【００１８】
並列多段掛け用プーリの場合、外側のプーリ間に張力調整治具を取付けることが好ましい。かかる方法によれば、モーターを回転移動させるモーメントが大きくなる。
【発明の効果】
【００１９】
本発明によれば、小型軽量で可搬性に優れかつ特別な装置を必要しないプーリ間の張力調整治具を提供でき、またベルトを外すことなく簡易かつ迅速にプーリ間の張力調整を行うことができる。
【図面の簡単な説明】
【００２０】
【図１】プーリ間の張力調整治具の正面図である。
【図２】嵌合部材の正面図である。
【図３】支持部材の斜視図である。
【図４】プーリ間の張力調整治具の装着図である。
【図５】支持部材の他の構成を説明する分解図である。
【図６】プーリ間の張力調整フロー図である。
【図７】モーターの正面図である。
【図８】モーターの右側面図である。
【図９】モーターの平面図である。
【図１０】配電用変電所冷却設備構成図である。
【発明を実施するための形態】
【００２１】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２２】
図１はプーリ間の張力調整治具の正面図、図２は嵌合部材の正面図、図３は支持部材４の斜視図、図４はプーリ間の張力調整治具の装着図である。
【００２３】
図１に示すように、プーリ間の張力調整治具３１５は一方側のプーリに嵌合して押圧する第１の嵌合部材３１２、他方側のプーリに嵌合して一方側のプーリから離間させる方向に押圧する第２の嵌合部材３１３、及びこれらの嵌合部材を支持する支持部材３１４から構成される。
【００２４】
図２に示すように、嵌合部材３１２、３１３は、プーリに嵌合する嵌合面２０１と、端面に嵌合面２０１を形成する嵌合部２０２と、前記嵌合部２０２の嵌合面２０１とは反対側に固定された雄ネジ部２０３と、雄ネジ部に螺合されたナット２０４から構成される。
【００２５】
嵌合面２０１はベルトと同一の素材でできている。これより嵌合面２０１がプーリを傷つけるおそれがない。なお、嵌合面２０１はゴム、ポリウレタンなど柔軟性のある材質であればよく、ベルトと同一の素材に限られない。
【００２６】
また、嵌合面２０１の凹部分はプーリ外径と同一の内径を有するため、嵌合面２０１がプーリに密着しずれない。なお、嵌合面２０１がプーリとずれなければよく、嵌合面２０１の内径がプーリ外径と同一である場合に限られない。
【００２７】
図３に示すように、支持部材はＬ字鋼からなる支持部材本体３０６から構成され、両端と内部に孔３０５の開いた４枚の側壁３０１〜３０４を一体に備えている。
【００２８】
Ｌ字鋼であることより、小型軽量でかつ丈夫となる。なお、支持部材は丈夫であればＺ字鋼など他の形状の形鋼でもよく、Ｌ字鋼に限られない。
【００２９】
図１および図３に示すように、支持部材３１４の左端の側壁３０１とその内側の側壁３０２の孔３０５が、挿通された第１の嵌合部材３１２の雄ネジ部２０３を支持する。同様に、第２の嵌合部材３１３は支持部材３１４の右端の側壁３０４とその内側の側壁３０３によって支持される。なお、側壁の孔３０５は雄ネジ部を支持できればよく、側壁３０１の位置は左端に限られず、側壁３０４の位置は右端に限られない。また、側壁の枚数も片側について２枚に限られない。
【００３０】
図１に示すように、第１の嵌合部材３１２は、その雄ネジ部２０３に内側にある側壁３０２の嵌合部材側（側壁３０１と側壁３０２の間）においてナット２０４を螺合することにより、支持部材３１４に装着される。このナット２０４を工具により手動で回転させることで、第１の嵌合部材３１２を繰り出したり、収容したりすることができる。また第２の嵌合部材３１３も同様である。
【００３１】
図４に示すように、張力調整治具３１５をプーリ１０２、１０９間に装着する。そしてナット２０４を工具により手動で回転させることで、プーリ１０２、１０９の間隔を広げることができる。これより、コンプレッサなど特別な装置を必要とせず手動でプーリ間の張力調整ができる。
【００３２】
このように、プーリ間の張力調整治具は嵌合部材３１２、３１３とＬ字鋼の支持部材３１４で構成されており、小型軽量で可搬性に優れている。ナット２０４を工具により手動で回転させるだけでよくコンプレッサなど特別な装置を必要としない。嵌合面２０１はベルトと同一の素材でできておりプーリを傷つけるおそれがない。また、嵌合面２０１の凹部分はプーリ外径と同一内径を有するように形成すれば、嵌合面２０１がプーリに密着し、ずれを防止することができる。
【００３３】
図５は支持部材の他の構成を説明する分解図である。図５に示す支持部材３２０は、支持部材本体３０９と、複数の側壁３０１、３０２を有する第１の支持部材付属部３１０と、同様に複数の側壁３０３、３０４を有する第２の支持部材付属部３１１から構成されている。
【００３４】
この支持部材本体３０９は短手方向に４個、長手方向に６列の複数の孔３０７ａを配列したＬ字鋼から構成されている。一方、支持部材付属部３１０、３１１には支持部材本体の孔３０７ａと対向する位置に短手方向４個の孔３０７ｂを設けている。そして支持部材付属部３１０、３１１の４個の孔３０７ｂを支持部材本体３０９の孔３０７ａと合わせてボルト３０８、ナット２０４で固定する。かかる構造によれば、支持部材３２０が支持部材本体３０９と支持部材付属部３１０、３１１に分離できることより支持部材３２０を短くできるため可搬性が増す。なお、ボルト、ナットで固定できればよく、孔数は４個に限られない。
【００３５】
長手方向に６列の孔があるため、支持部材付属部３１０、３１１の固定する孔の位置を変えることで、支持部材付属部３１０、３１１を支持部材本体３０９に対して異なる位置に固定可能（位置調整可能）である。これにより支持部材３２０の長さを６段階に変更できる。なお、支持部材３２０の長さを変更できればよく、長手方向の孔は６列に限られない。
【００３６】
第１の支持部材付属部３１０は、Ｌ字鋼からなる付属部本体３１０ａに２枚の側壁３０１、３０２を一体に立設し、これらに雄ネジ部２０３を挿通する孔３０５を有している。同様に、第２の支持部材付属部３１１はＬ字鋼からなる付属部本体３１１ｂに２枚の側壁３０３、３０４を一体に立設し、これらに雄ネジ部を挿通する孔３０５を有している。なお、前述の理由により、形鋼の種類、側壁の位置及び枚数、短手方向の孔数は限定されない。
【００３７】
次に、本発明の実施形態に係るプーリ間の張力の調整方法を説明する。
【００３８】
図６はプーリ間の張力調整フロー図、図７はモーターの正面図、図８はモーターの右側面図、図９はモーターの平面図である。
【００３９】
図７〜図９に示すように、モーター１０５の架台１０６には、モーター１０５の固定用ボルト３１６を挿通するためのスリット３１７がモーター１０５の移動方向に２本設けてある。固定用ボルト３１６はスリット３１７から架台１０６の裏側にある止め金具３１８の孔に挿通されナット３１９と螺合されている。架台１０６の側面にあるモーター１０５の位置調整用ボルト１０７は、この止め金具３１８と螺合されている。
【００４０】
まず、並列３段架け用プーリ１０９の間にベルトを掛けた状態で、外側のプーリ１０９ａ間に張力調整治具３１５を取付ける（図４参照）（ステップ４０１）。ここで、モーター１０５は平行移動させる必要があるが、張力調整治具３１５によってプーリ側を回転移動させ、次に位置調整用ボルト１０７によってモーター側を回転移動させることになる（または、これを交互に繰り返す）。この際、支点である位置調整用ボルト１０７から離れた外側のプーリ１０９ａ間に力点となる芯出し調整治具を取付けたのは、位置調整用ボルト１０７によってモーター１０５を回転移動させるモーメントが大きくなるからである。また、ベルトより内側のプーリに張力調整治具３１５を取り付けると、張力調整治具３１５によってプーリ同士を離間させる際に位置調整用ボルト１０７も浮いてしまうため、モーター１０５が軸方向にわずかにずれてしまい、芯出しが狂ってしまうためである。
【００４１】
なお、プーリは並列３段架けに限らず、１段架けでも３段架け以外の並列多段掛けでもよい。また、並列多段掛けの場合、張力調整治具３１５でモーター１０５を回転移動させることができれば、内側のプーリ間に張力調整治具を取付けてもよい。
【００４２】
次に、プーリを有するモーター１０５の固定用ボルト３１６を弛める（ステップ４０２）。これは、モーター１０５が移動できるようにするためである。
【００４３】
次に、張力調整治具のナットを回転させてプーリ間隔を広げる方向に第１の嵌合部材と第２の嵌合部材を移動させる（ステップ４０３）。
【００４４】
また、位置調整用ボルト１０７を回転させてプーリ間隔を広げる方向にモーター１０５を移動させる（ステップ４０４）。
【００４５】
次に、ベルト１０４の弛み及びプーリ間の芯出しを確認する（ステップ４０５）。ベルト１０４の張力が不足しまたはプーリ軸が平行でないときは、ステップ４０３、４０４を繰り返す。
【００４６】
ベルト１０４の弛みおよび芯出しが完了したら（ステップ４０５のＹＥＳ）、モーター１０５の固定用ボルト３１６を締め付けてモーター１０５の位置を固定する（ステップ４０６）。そして、プーリ間から張力調整治具を取外す（ステップ４０７）。
【００４７】
このように、外側のプーリ間に張力調整治具を取付ければ、簡単かつ迅速にベルトを外すことなく張力調整を行うことができる。
【００４８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００４９】
例えば、上記実施形態においては、両側の嵌合部材３１２、３１３を個別に位置調整するように説明したが、支持部材３１４に代えて両端に逆ネジを有するターンバックルを用いたり、パンタグラフジャッキを用いて嵌合部材３１２、３１３の繰り出し量を調整するようにしたりしてもよい。
【実施例】
【００５０】
図５に示した支持部材３２０を有する張力調整治具３１５を用いて、支持部材付属部３１０、３１１を固定する孔３０７ａの位置を変えることで５５０〜８００ｍｍのプーリ間隔に対応可能できる張力調整治具３１５をＬ字鋼で試作し、実際の配電用変電所冷却設備のプーリ間の張力調整を行った。このプーリ張力調整治具は小型軽量で可搬性に優れ、これを用いるとベルトを外すことなく簡易かつ迅速にプーリ間の張力調整を行うことができた。
【符号の説明】
【００５１】
１０１  配電用変電所冷却ファン
１０２  プーリ
１０３  冷却ファン軸
１０４  ベルト
１０５  モーター
１０６  架台
１０７  位置調整用ボルト
１０８  モーター軸
１０９  並列３段架け用プーリ
１０９ａ  外側のプーリ
２０１  嵌合面
２０２  嵌合部
２０３  雄ネジ部
２０４  ナット
３０１〜３０４  側壁
３０５  孔
３０６  支持部材本体
３０７ａ  孔
３０７ｂ  孔
３０８  ボルト
３０９  支持部材本体
３１０  第１の支持部材付属部
３１０ａ  付属部本体
３１１  第２の支持部材付属部
３１１ａ  付属部本体
３１２  第１の嵌合部材
３１３  第２の嵌合部材
３１４  支持部材
３１５  張力調整治具
３１６  固定用ボルト
３１７  スリット
３１８  止め金具
３１９  ナット
３２０  支持部材
【図１】
2012057683.tif 000003
【図２】
2012057683.tif 000004
【図３】
2012057683.tif 000005
【図４】
2012057683.tif 000006
【図５】
2012057683.tif 000007
【図６】
2012057683.tif 000008
【図７】
2012057683.tif 000009
【図８】
2012057683.tif 000010
【図９】
2012057683.tif 000011
【図１０】
2012057683.tif 000012